(57)【要約】【課題】可動ばね片の曲げ寸法がばらついても接触安定性を確保できるメモリカード用ソケットを提供する。【解決手段】コンタクトブロック４の樹脂製基体７は、メモリカードの接続端子に接触する複数本のコンタクトと、メモリカードの挿入を検知するための検知スイッチを構成する固定接点板３０及び可動ばね片３１を保持し、コンタクトをカード挿入口に向けてハウジングの後部内に配置される。固定接点板３０の一端に設けた固定接点３０ａは樹脂製基体７の突出片７１の内側面から露出する。可動ばね片３１は、固定接点３０ａに対向配置されハウジングの内部に挿入されるメモリカードに押圧されて固定接点３０ａと弾接する向きに撓められる弾接部３１ａを有し、弾接部３１ａにおける固定接点３０ａとの接触部位にはＶ字形の溝３１ｃが形成されている。【選択図】      図１
2004349223.tif 000002
【特許請求の範囲】
【請求項１】
前部にメモリカードを挿入するカード挿入口が開口した箱状のハウジングと、メモリカードの一面に設けた接続端子に接触する複数本のコンタクトを樹脂製基体に両側方向に並行するように保持させ、前記ハウジングの後部内に前記コンタクトを前記カード挿入口に向けて配置されるコンタクトブロックと、該コンタクトブロックと前記カード挿入口との間のハウジング内部に前後方向に移動自在に配置され、前記カード挿入口からのメモリカードの挿抜操作に伴ってメモリカードと共に前後移動するスライド部材と、一端を前記ハウジングの内部に露出させるようにして前記樹脂製基体に保持される固定接点板と、前記樹脂製基体に保持されて前記樹脂製基体から前方に突出する先端部が前記固定接点板の一端に対向配置され、前記ハウジングの内部に挿入されるメモリカードに押圧されて前記固定接点板と弾接する向きに撓められる可動ばね片とを備え、前記可動ばね片における前記固定接点板との接触部位に、前記固定接点板と前記可動ばね片とが対向する方向及び前後方向にそれぞれ直交する方向の両側部に行くほど前記固定接点板側に近付く向きに傾斜する傾斜面を形成したことを特徴とするメモリカード用ソケット。
【請求項２】
前記可動ばね片は、少なくとも前記固定接点板との接触部位と前記樹脂製基体に保持された部位との間が、前記樹脂製基体に保持された部位に比べて薄く且つカード挿入時に永久歪が発生しない程度の板厚に形成されたことを特徴とする請求項１記載のメモリカード用ソケット。
【発明の詳細な説明】
【０００１】
【発明の属する技術分野】
本発明は、ミニＳＤカードのようなメモリカードを挿抜自在に接続するためのメモリカード用ソケットに関するものである。
【０００２】
【従来の技術】
この種のメモリカード用ソケットとしては、前部にメモリカードを挿入するカード挿入口が開口したハウジングと、メモリカードに設けた接続端子に接触する複数本のコンタクトが樹脂製の基体にインサート成形され、ハウジングの後部内にコンタクトをカード挿入口に向けて配置されるコンタクトブロックと、ハウジングに挿入されたメモリカードに当接して押力を受けハウジングに対してメモリカードと共に後方へスライドするスライド部材と、メモリカードが抜かれる際にスライドする方向（前方）へスライド部材を付勢する付勢ばねと、メモリカードを接続した状態でメモリカードの接続端子がコンタクトに接触する保持位置から前方へスライド部材が移動するのを禁止するプッシュオン・プッシュオフ型のロック機構とを備えたものが従来より提供されている（例えば、特許文献１参照）。
【０００３】
また従来より、メモリカードの挿入を検知する検知スイッチを内蔵したものも提案されているが、ミニＳＤカード用のソケットではハウジングの奥行寸法をできるだけ小さくすることが要求されるため、図９及び図１０に示すように、コンタクトブロックの基体７の一端部から前方に突出する突出片７１の側方に検知スイッチを構成する固定接点３０ａと可動ばね片３１の弾接部３１ａを幅方向に並べて配置し、ハウジング内部に挿入されるメモリカードで可動ばね片３１の弾接部３１ａを固定接点３０ａ側に押圧駆動し、固定接点板３０と可動ばね片３１との間を導通させることで、メモリカードの挿入を検知していた。
【０００４】
固定接点板３０は基体７の突出片７１にインサート成形され、先端部に設けた固定接点３０ａが突出片７１の内側面から露出している。また可動ばね片３１は基体７から前方に突出する一端側がクランク状に折り曲げられ、さらにその先端部を折り曲げることで平面視の形状がへ字状の弾接部３１ａを連続一体に設けてある。この弾接部３１ａは先端部が固定接点３０ａに対向するとともに、中間部が両側部に対して固定接点３０ａと反対側に突出するように配置されている。
【０００５】
ここで、ソケットにメモリカードが挿入されていない場合、弾接部３１ａは、そのばね力によって復帰位置（図９（ｂ）の位置）まで移動し、固定接点３０ａから開離している。一方、ソケットにメモリカードが挿入されると、メモリカードの先端部によって可動ばね片３１の弾接部３１ａが固定接点３０ａ側に撓められて、弾接部３１ａと固定接点３０ａとが弾接し、固定接点板３０と可動ばね片３１との間が導通する。このように、メモリカードの挿抜操作に応じて検知スイッチがオン／オフするので、検知スイッチのオン／オフ状態からメモリカードの有無を検知することができる。
【０００６】
【特許文献１】
特開２００３−６５７６号公報
【０００７】
【発明が解決しようとする課題】
上記構成のメモリカード用ソケットではメモリカードが挿入されると、可動ばね片３１の弾接部３１ａがメモリカードによって撓められて、固定接点３０ａに弾接するのであるが、弾接部３１ａにおける固定接点３０ａとの接触部位が平坦面になっているので、弾接部３１ａやクランク曲げ部３１ｂの曲げ寸法のばらつきによって弾接部３１ａの位置が図９（ｃ）中の上下方向に少しでもずれると、弾接部３１ａが固定接点３０ａから外れてしまう虞があり、電気的接続の安定性が確保できないという問題があった。
【０００８】
また、コンタクトブロックを安価に製造するために、１枚の金属の薄板に抜き加工及び曲げ加工を施すことによって、複数本のコンタクトと固定接点板３０と可動ばね片３１が連結部を介して互いに連結された状態に形成し、この状態で基体７をインサート成形した後、連結部を切断してコンタクトと固定接点板３０と可動ばね片３１とを分離しており、コンタクトと固定接点板３０と可動ばね片３１とは同じ板材から形成されているので、その板厚は同じ厚みになっている。ここで、基体７にインサート成形される部分の強度を確保するためには、板材にある程度の厚み（例えば０．２ｍｍ）のものを用いる必要があり、その結果、弾接部３１ａの板厚が厚くなって接点圧が高くなり、カード挿入時に弾接部３１ａに永久歪が発生したり、弾接部３１ａと当接するメモリカードに傷ができるという問題があった。なお、メモリカードＭＣの幅寸法の公差は±０．１ｍｍであり、幅寸法が基準寸法から＋０．１ｍｍの場合、基準寸法の場合、基準寸法から−０．１ｍｍの場合の接圧の解析結果を図１１（ａ）〜（ｃ）に示す。可動ばね片３１の撓み量はカード幅が広い程大きくなっており、カード幅が基準寸法の場合の接圧は４．２７Ｎ、基準寸法よりも０．１ｍｍ広い場合の接圧は４．２７Ｎ以上、基準寸法よりも０．１ｍｍ狭い場合の接圧は３．５６Ｎであり、何れの場合も接圧が高すぎるため、可動ばね片３１に加わる応力が９８０Ｎ／ｍｍ２  以上となって、可動ばね片３１にへたりが生じていた。
【０００９】
本発明は上記問題点に鑑みて為されたものであり、請求項１の発明の目的とするところは、可動ばね片の曲げ寸法がばらついても接触安定性を確保できるメモリカード用ソケットを提供することにある。また請求項２の発明の目的とするところは、上記の目的に加えて、可動ばね片に永久歪みが発生したりメモリカードに傷がつくのを防止したメモリカード用ソケットを提供することにある。
【００１０】
【課題を解決するための手段】
上記目的を達成するために、請求項１の発明は、前部にメモリカードを挿入するカード挿入口が開口した箱状のハウジングと、メモリカードの一面に設けた接続端子に接触する複数本のコンタクトを樹脂製基体に両側方向に並行するように保持させ、ハウジングの後部内にコンタクトをカード挿入口に向けて配置されるコンタクトブロックと、該コンタクトブロックとカード挿入口との間のハウジング内部に前後方向に移動自在に配置され、カード挿入口からのメモリカードの挿抜操作に伴ってメモリカードと共に前後移動するスライド部材と、一端をハウジングの内部に露出させるようにして樹脂製基体に保持される固定接点板と、樹脂製基体に保持されて樹脂製基体から前方に突出する先端部が固定接点板の一端に対向配置され、ハウジングの内部に挿入されるメモリカードに押圧されて固定接点板と弾接する向きに撓められる可動ばね片とを備え、可動ばね片における固定接点板との接触部位に、固定接点板と可動ばね片とが対向する方向及び前後方向にそれぞれ直交する方向の両側部に行くほど固定接点板側に近付く向きに傾斜する傾斜面を形成したことを特徴とする。
【００１１】
この発明によれば、可動ばね片における固定接点板との接触部位には、固定接点板と可動ばね片とが対向する方向及び前後方向にそれぞれ直交する方向の両側部に行くほど固定接点板側に近付く向きに傾斜する傾斜面が形成されているので、可動ばね片の位置が上記直交方向において多少ばらついたとしても、可動ばね片に設けた傾斜面と固定接点板とが２点で接触するから、安定した接触を得ることができる。
【００１２】
請求項２の発明は、請求項１の発明において、可動ばね片は、少なくとも固定接点板との接触部位と樹脂製基体に保持された部位との間が、樹脂製基体に保持された部位に比べて薄く且つカード挿入時に永久歪が発生しない程度の板厚に形成されたことを特徴とする。
【００１３】
この発明によれば、可動ばね片の接圧を下げるために必要な部分、すなわち可動ばね片における固定接点板との接触部位と樹脂製基体に保持された部位との間の部位を、樹脂製基体に保持された部位に比べて薄く且つカード挿入時に永久歪が発生しない程度の板厚に形成しているので、接圧を下げて可動ばね片に加わる応力を低減することができ、永久歪の発生を防止できる。
【００１４】
【発明の実施の形態】
本発明の実施の形態を図１〜図８に基づいて説明する。本実施形態では、ミニＳＤカードのようなメモリカードを挿抜自在に接続するソケットを例に説明を行う。尚、他の種類のメモリカードに対しても、本発明における技術は適用できるものであるから、特にミニＳＤカードに限定されるものではない。
【００１５】
先ずメモリカードの形状について簡単に説明する。図７に示すメモリカードＭＣは従来のＳＤメモリを小型化したミニＳＤカードと呼ばれるもので、扁平な略矩形板状であって、後部（挿入側）の一方の角には切欠部１０１が設けてある。また、メモリカードＭＣ後部の左右両側縁には上向き段部１０２をそれぞれ形成してあり、上記切欠部１０１よりも前側（挿入側と反対側）の位置には上面の左右両側縁に矩形状に窪んだロック用凹所１０３，１０３を形成している。また更に、メモリカードＭＣ後部の下面には複数の接続端子１０４が並行に配列されている（図８参照）。
【００１６】
次に本実施形態のソケットの構造を図６〜図８を参照して説明する。本実施形態は、図示するように厚さが極薄いステンレス金属板を打ち抜き且つ曲げ加工することにより形成されたベースシェル１と、このベースシェル１と同様に厚さが極薄いステンレス金属板を打ち抜き且つ曲げ加工することにより形成され、ベースシェル１上に被着することで前部にメモリカードを挿入するカード挿入口３ａが開口した扁平な箱状のハウジング３をベースシェル１と共に構成するカバーシェル２と、ハウジング３の後部内に装着されるコンタクトブロック４と、コンタクトブロック４の前方側のハウジング３内に前後方向に移動自在に配置されるコ字型の樹脂成形品からなるスライダー５（スライド部材）とを主要な構成要素としたものである。
【００１７】
ベースシェル１は、底板６ａの左右両側に上面（ハウジング３の内側に対応）側方向に折り曲げて形成した側壁６ｂ，６ｂを設けたもので、前後端が開放されている。そして、底板６ａの後端には、コンタクトブロック４の樹脂製基体７に上下方向に貫通させた圧入孔８に下方から圧入してコンタクトブロック４を後部上面に固定する複数個の突出片９を折り曲げ形成している。また、各側壁６ｂには複数の係止孔３５…を貫設してあり、各側壁６ｂの前端にはスライダー５のカード挿入口３ａからの脱落を防止するための突片１８が内側へ突設されている。また、コンタクトブロック４に保持される後述のコンタクト１０…がメモリカードＭＣによって下方に押されたときに底板６ａに接触しないよう、底板６ａにはコンタクト１０…を逃がすための複数の透孔１１…を形成してある。
【００１８】
一方、カバーシェル２は、天板２０ａの左右両側に折り曲げによって下向きの側壁２０ｂ，２０ｂを一体に設けてあり、また天板２０ａの後端には所定間隔で複数の下向きの突出片２１を折り曲げ形成している。これらの突出片２１はベースシェル１上にカバーシェル２を被着する際に、ベースシェル１の後部上面に配置されるコンタクトブロック４の基体７上面に開口するように貫設された圧入孔２２に圧入してコンタクトブロック４を固定するためのものである。また、天板２０ａの左右の端部には、それぞれ２本のスリット２４が左右に並設されており、２本のスリット２４で挟まれた部位には前後方向の中間部が下方へ突出するように折り曲げられてメモリカードＭＣをスライダー５に押し付ける押さえ片２５が設けられている。また、両側壁２０ｂ，２０ｂには、側壁６ｂ，６ｂの係止孔３５…に対応する位置に弾性係止片３４…が切り起こしによって形成されている。
【００１９】
コンタクトブロック４は、メモリカードＭＣの後部下面に並行配設した複数の接続端子１０４に夫々接触するコンタクト１０…と、メモリカードＭＣの位置検出用の固定接点板３０及び可動ばね片３１とを樹脂製の基体７にインサート成形によって一体保持させており、基体７の前面側（カード挿入口３ａ側）にはコンタクト１０…、固定接点板３０、及び可動ばね片３１の接触側を突出させ、後面側には回路基板等に夫々を半田付けするための半田付け端子部３２…を突出させている。
【００２０】
基体７の前面には段部を設けてあり、この段部に一端が開口するように上記圧入孔８…を上下方向に貫通させ、さらに基体７の後側上面に一端が開口するように圧入孔２２…を上下方向に貫通させている。また、基体７の長手方向の一端部には前面側に突出する突出片７１が一体に設けられており、この突出片７１の上面にはハートカム溝部１５が形成されている。ハートカム溝部１５は、ハートカム１５ａとハートカム１５ａの周りに形成されたガイド溝１５ｂとで構成され、後述するロック金具１９のガイド軸１９ｂをガイド溝１５ｂに係入し、スライダー５の前後移動に伴い、ガイド溝１５ｂとガイド溝１５ｂの底面に形成した凹凸面（図示せず）とでガイド軸１９ｂのガイド溝１５ｂ内での相対的な移動をガイドするようなっている。
【００２１】
ロック金具１９は細幅の金属板により平面視略く字状に形成され、一端部には上述のガイド軸１９ｂが突設され、他端部には回動軸１９ａが突設されている。また、ロック金具１９の曲がり部の内側縁（メモリカードＭＣ側の側縁）からは側方に突出するロック片１９ｃが一体に形成されている。
【００２２】
スライダー５は、合成樹脂成形品により略コ字型に形成されたものであって、メモリカードＭＣの左右の側縁をガイドする脚片５ｂ，５ｃと、脚片５ｂ，５ｃの後部上側縁間を連結してメモリカードＭＣの先端上部と当接する当接部５ａとを一体に形成することで略コ字型に形成されたものであり、両脚片５ｂ，５ｃの前部下側縁を平板状の連結片５ｅを介して一体に連結してある。左側の脚片５ｂの後部には内側に突出してメモリカードＭＣの切欠部１０１と当接する張出部５ｄが設けられている。また、当接部５ａの下面は、連結片５ｅの上面よりも上側に位置しており、当接部５ａの下面とベースシェル１の底板６ａ上面との間には隙間が生じ、スライダー５が押し込まれた時にはコンタクト１０…は当接部５ａの下側を通過して当接部５ａの前方に突出する。
【００２３】
なお各脚片５ｂ，５ｃはメモリカードＭＣの左右の側部をガイドするものであり、各脚片５ｂ，５ｃの後端部内側面には、上側を下側よりも内側に突出させた段部５０が設けられ、メモリカードＭＣの左右の側縁に設けた上向き段部１０２が各脚片５ｂ，５ｃの段部５０の下側に入り込むようになっている。
【００２４】
また、脚片５ｂの前端部の上面にはロック金具１９の回動軸１９ａを軸支する軸穴１４が形成されている。而して、ロック金具１９は一方のガイド軸１９ｂをハートカム溝部１５のガイド溝１５ｂ内に係入するとともに、他方の回動軸１９ａを軸穴１４に軸支させており、スライダー５の前後動作に伴ってガイド軸１９ｂがガイド溝１５ｂにガイドされてハートカム１５ａの周りを移動すると、ロック金具１９が回動軸１９ａを中心として回動し、ロック金具１９の回動に応じてロック片１９ｃが左右方向に移動するのである。
【００２５】
また、両脚片５ｂ，５ｃの下側面には、後面側に開放されコイルばね１３，１３の前端部が挿入される溝（図示せず）がそれぞれ形成されている。各コイルばね１３の後端はそれぞればね座片４１，４２を介してコンタクトブロック４に取り付けられている。コンタクトブロック４の基体７の突出片７１下面にはばね座保持溝７１ａが形成されており、一方のばね座片４１は、コイルばね１３に後方から挿入されてコイルばね１３の座屈を防止する座屈防止針４３と、座屈防止針４３の後端から連続一体に延出し、突出片７１のばね座保持溝７１ａに嵌る取付片４４とを有する。また、他方のばね座片４２は、コイルばね１３に後方から挿入されてコイルばね１３の座屈を防止する座屈防止針４５と、座屈防止針４５の後端から延出し、基体７の右端に設けられた結合溝７ａに凹凸結合する取付片４６とを有する。ここで、両脚片５ｂ，５ｃが均等にコイルばね１３，１３の弾発力を前方方向に受けることで、スライダー５がハウジング３内をスムーズに前後方向に摺動できるようになっている。
【００２６】
ところで、上述したように基体７にはメモリカードの挿入を検知する検知スイッチが設けられており、この検知スイッチは固定接点板３０と可動ばね片３１とからなる（図１〜図４参照）。固定接点板３０は基体７の突出片７１にインサート成形によって保持され、先端部に設けた固定接点３０ａが突出片７１の内側面から露出している。また可動ばね片３１は基体７から前方に突出する一端側がクランク状に折り曲げられ、さらにその先端部を折り曲げることで平面視の形状がへ字状の弾接部３１ａを連続一体に設けてある。この弾接部３１ａは先端部が固定接点３０ａに対向するとともに、中間部が両側部に対して固定接点３０ａと反対側に突出するように配置されている。
【００２７】
ここで、可動ばね片３１の弾接部３１ａにおける固定接点３０ａとの接触部位にはＶ字形の溝３１ｃを形成してあり、上下方向の両側部に行くほど固定接点３０ａ側に近付く向きに傾斜する傾斜面が形成されている。而して、固定接点３０ａが弾接部３１ａに設けた溝３１ｃに弾接することになり、弾接部３１ａやクランク曲げ部３１ｂの曲げ寸法のばらつきによって弾接部３１ａの位置が多少上下にばらついたとしても、固定接点３０ａの先端面の上下の角が溝３１ｃの傾斜面と２点で接触するように、弾接部３１ａの位置が調芯されるから、安定した接触を得ることができる。尚、本実施形態では弾接部３１ａにおける固定接点３０ａとの接触部位にＶ字形の溝３１ｃを形成しているが、溝３１ｃの形状をＶ字形に限定する趣旨のものではなく、上下方向（すなわち固定接点３０ａと弾接部３１ａとが対向する方向及び前後方向にそれぞれ直交する方向）の両側部に行くほど固定接点３０ａ側に近付く向きに傾斜するのであれば、弧状の傾斜面でも良く、Ｕ字状の溝などでも良い。
【００２８】
また可動ばね片３１は、後述するようにコンタクト１０…や固定接点板３０と共に板厚が約０．２ｍｍの１枚の金属の薄板に抜き加工及び曲げ加工を施して形成されるので、その板厚はコンタクト１０…や固定接点板３０と同じ厚みになっているが、基体７をインサート成形する前に、少なくとも固定接点３０ａとの接触部位と基体７に保持される付け根部３１ｄとの間の部位（図１（ａ）中のＡ部）にプレス加工を施すことによって、このＡ部の厚みが、強度を持たせる必要のある付け根部３１ｄや、接圧に関係しない固定接点３０ａとの接触部位に比べて約半分の厚さで、カード挿入時に永久歪が発生しないような厚み（約０．１ｍｍ）に形成されている。従って可動ばね片３１のＡ部のばね性を弱くして接圧を下げることができ、カード挿入時に可動ばね片３１に加わる応力を低減して、永久歪の発生を防止している。ここで、図５（ａ）〜（ｃ）は、メモリカードＭＣの幅寸法が基準寸法から＋０．１ｍｍの場合、基準寸法の場合、基準寸法から−０．１ｍｍの場合の接圧の解析結果を示しており、可動ばね片３１の撓み量はカード幅が広いほど大きくなるが、カード幅が基準寸法の場合の接圧は０．２１Ｎ、基準寸法よりも０．１ｍｍ広い場合の接圧は０．２８Ｎ、基準寸法よりも０．１ｍｍ狭い場合の接圧は０．１５Ｎであり、カード幅が最大の場合でも接圧が従来の２０分の１以下になっている。したがって、可動ばね片３１に加わる応力が８４７Ｎ／ｍｍ２  に低下し、弾性限度（＝９８０Ｎ／ｍｍ２  ）以内となるので、永久歪が発生することはない。
【００２９】
なお、可動ばね片３１に加わる応力を低減するためには、コンタクト１０…や固定接点板３０を形成する板材に比べて厚みの薄い別の板材から可動ばね片３１を形成することも考えられるが、その場合はインサート成形の作業がやりにくく、コストアップになり、さらにソケットの上下方向の寸法が大きくなるという問題がある。それに対して、本実施形態では上述のような方法でコンタクトブロック４を形成しているので、インサート成形がやりやすく、コストアップやソケットの大型化を招くこともない。
【００３０】
以上説明したようなメモリカード用ソケットを組み立てるに当たっては、コンタクト１０、固定接点板３０及び可動ばね片３１が樹脂製基体７にインサート成形されたコンタクトブロック４の樹脂製基体７にばね座片４１，４２を取り付けた後、ベースシェル１の上面後部にコンタクトブロック４を載置し、ベースシェル１に設けた突出片９…をコンタクトブロック４の圧入孔８…に下方から圧入してコンタクトブロック４をベースシェル１上に固定する。次に、ばね座片４１，４２にコイルばね１３，１３の後部を挿入し、コイルばね１３，１３の前端部を両脚片５ｂ，５ｃの下面に設けた溝内に収めるようにして、スライダー５をベースシェル１の上面前部に載置した後、ロック金具１９の一端の回動軸１９ａを脚片５ｂの軸穴１４内に挿入して、軸穴１４に軸支させるとともに、ロック金具１９の他端のガイド軸１９ｂをガイド溝１５ｂ内に係入する。この状態ではスライダー５がコイルばね１３，１３により付勢されて前方（カード挿入口３ａ側）へ押し動かされ、両脚片５ｂ，５ｃの前端部がベースシェル１の前端に設けた突片１８，１８の裏面に衝合し、スライダー５のそれ以上の前方への移動が規制される。
【００３１】
このようにしてベースシェル１上にコンタクトブロック４、スライダー５を配置するとともに、コイルばね１３，１３、ロック金具１９を装着した後、カバーシェル２を上方からベースシェル１に被せる。この際カバーシェル２に形成した突出片２１…をコンタクトブロック４の基体７の圧入孔２２に上方から圧入するとともに、両側壁２０ｂ，２０ｂをベースシェル１の両側壁６ｂ，６ｂの外側面に沿うように垂下させる。この時、カバーシェル２の両側壁２０ｂに設けた弾性係止片３４…の上向き先部が、ベースシェル１の両側壁６ｂに設けた係止孔３５…に係止されることになり、両シェル１，２が互いに結合されて、扁平で前部にカード挿入口３ａを開口した箱状のハウジング３が形成されると同時に、ソケットが完成することになる。ここで、本実施形態のソケットは、各コンタクト１０…、固定接点板３０、及び可動ばね片３１の半田付け端子部３２…の下面を低くしたＳＭＤ型のソケットであり、また金属製のハウジング３をアースすることで静電気や外部ノイズに強いものとなる。
【００３２】
ここで、メモリカードＭＣを挿着していない状態では、コイルばね１３の弾発力を受けてスライダー５がカード挿入口３ａ方向に移動した状態にあり、この時ロック金具１９のガイド軸１９ｂは初期位置（図８のａ）に移動しており、ガイド溝１５ｂ内で最も外側（メモリカードＭＣと反対側）の位置に移動しているので、ロック金具１９が回動軸１９ａを中心として左回りに一杯まで回転し、ロック片１９ｃがメモリカードＭＣのロック用凹所１０３から外に退避している。
【００３３】
次に、メモリカードＭＣをコネクタ装置へ挿着する場合の各部の動作について説明する。まずメモリカードＭＣを前後方向及び表裏方向を正規な方向に向けてハウジング３のカード挿入口３ａから挿入すると、メモリカードＭＣの先部がハウジング３内のスライダー５の両脚片５ｂ，５ｃ間に挿入されて、メモリカードＭＣの下面両側部の上向き段部１０２，１０２が段部５０，５０と当接する。更にメモリカードＭＣをハウジング３内に挿入すると、やがてメモリカードＭＣの先部の片側に形成した切欠部１０１がスライダー５の張出部５ｄに衝合するとともに、メモリカードＭＣの先部が当接部５ａと衝合してスライダー５を後方へ押すことになる。そして、スライダー５に加わるコイルばね１３，１３の弾発力に抗して更にメモリカードＭＣを押し入れると、メモリカードＭＣの移動に共動してスライダー５が後退することになる。このスライダー５の後退によりロック金具１９のガイド軸１９ｂがハートカム溝部１５のガイド溝１５ｂ内をガイド溝１５ｂ底部の凹凸面によってガイドされながらハートカム１５ａの左側のガイド溝１５ｂ内（図８の位置ｂ）に移動することになる。この時、ガイド軸１９ｂの移動に伴って、ロック金具１９は回動軸１９ａを中心として回動するのであるが、ハートカム１５ａの左側のガイド溝１５ｂは前後方向に沿って略真っ直ぐに延びているので、ロック金具１９の傾きは十分小さく、ロック片１９ｃはメモリカードＭＣのロック用凹所１０３内に係入していない。
【００３４】
そして、メモリカードＭＣをスライダー５の当接部５ａ後面がコンタクトブロック４の基体７前面に当たる位置に近い位置まで押し込むと、ロック金具１９のガイド軸１９ｂがガイド溝１５ｂの後端の位置（図８のｃ）に至ることになり、それ以上の押し込みができなくなる。この位置でメモリカードＭＣに加えていた押し込み力を解除すると、コイルばね１３の弾発力によりスライダー５がメモリカードＭＣと共に前方へ戻りかけるが、ロック金具１９のガイド軸１９ｂがガイド溝１５ｂに案内されながら移動してハートカム１５ａの凹部１５ｃ（図８の位置ｄ）に嵌り込むことになり、これ以上のスライダー５の前方移動が規制されて、メモリカードＭＣはその位置でハウジング３内に留まることになる。
【００３５】
さて上記メモリカードＭＣは押し込みによってその先部が所定位置へ移動すると、各コンタクト１０…の先部がメモリカードＭＣの裏面に形成した対応する接続端子１０４にコンタクト１０…の長さに応じて順次接触することになる。また、図４に示すように前方に突出する可動ばね片３１の弾接部３１ａがメモリカードＭＣの切欠部１０１側面で押されて固定接点３０ａに接触し、検知スイッチがオン状態になるので、このスイッチ信号を利用して外部の検出回路（図示せず）によりメモリカードＭＣが正規位置に挿着されたことを検出することができる。
【００３６】
上述のスライダー５の移動はハートカム１５ａの凹部１５ｃにロック金具１９のガイド軸１９ｂが嵌り込むことで規制されるが、メモリカードＭＣはそのままではハウジング３内より脱落する恐れがある。そこで本実施形態では、スライダー５がカードロック位置へ移動すると、このスライダー５の前後移動に伴って回動するロック金具１９のロック片１９ｃが脚片５ｂの内側（メモリカードＭＣ側）に突出し、その先端部がメモリカードＭＣのロック用凹所１０３に係入しメモリカードＭＣをロックする。
【００３７】
以上のように挿着されたメモリカードＭＣをソケットから取り出すときには、まずハウジング３のカード挿入口３ａより露出するメモリカードＭＣの後部を挿入方向に押してスライダー５とともにメモリカードＭＣを挿入方向へ移動させる。この移動によってロック金具１９のガイド軸１９ｂがハートカム１５ａの凹部１５ｃから離脱するとともにガイド溝１５ｂにガイドされて凹部１５ｃより右側のガイド溝１５ｂ内の位置（図８の位置ｅ）へ移動する。この時、ロック金具１９は回動軸１９ａを中心として右回りに回転し、ロック片１９ｃがさらにメモリカードＭＣ側に移動して、ロック片１９ｃの略全体がロック用凹所１０３内に係入する。
【００３８】
その後、メモリカードＭＣの押し込み力を解除すると、スライダー５はコイルばね１３，１３の弾発力により前方へ移動することなる。この移動に伴ってロック金具１９のガイド軸１９ｂはガイド溝１５ｂにガイドされながらハートカム１５ａの右側のガイド溝１５ｂ内（図８の位置ｆ）を通って前方へ移動し、ロック金具１９が回動軸１９ａを中心に左回りに回転して、ロック片１９ｃがロック用凹所１０３から退避する。そして、スライダー５がコイルばね１３，１３の弾発力によりカード挿入口３ａ側へ移動して初期位置に復帰すると、ロック片１９ｃがロック用凹所１０３から外に出て、メモリカードＭＣのロックを解除する。この時、メモリカードＭＣの後部がハウジング３のカード挿入口３ａから外部へ大きく露出し、メモリカードＭＣをハウジング３から取り出すことができることになる。
【００３９】
【発明の効果】
以上説明したように、請求項１の発明では、可動ばね片における固定接点板との接触部位には、固定接点板と可動ばね片とが対向する方向及び前後方向にそれぞれ直交する方向の両側部に行くほど固定接点板側に近付く向きに傾斜する傾斜面が形成されているので、可動ばね片の位置が上記直交方向において多少ばらついたとしても、可動ばね片に設けた傾斜面と固定接点板とが２点で接触するから、安定した接触を得ることができる。
【００４０】
また、請求項２の発明では、可動ばね片の接圧を下げるために必要な部分、すなわち可動ばね片における固定接点板との接触部位と樹脂製基体に保持された部位との間の部位を、樹脂製基体に保持された部位に比べて薄く且つカード挿入時に永久歪が発生しない程度の板厚に形成しているので、接圧を下げて可動ばね片に加わる応力を低減することができ、永久歪の発生を防止できる。
【図面の簡単な説明】
【図１】本実施形態のメモリカード用ソケットに用いるコンタクトブロックを示し、（ａ）は正面図、（ｂ）は一部省略せる上面図、（ｃ）は側面図である。
【図２】同上を示し、（ａ）はコンタクトブロックの側断面図、（ｂ）は弾接部の要部拡大図である。
【図３】同上のコンタクトブロックを前側から見た断面図である。
【図４】同上の検知スイッチを示す要部拡大斜視図である。
【図５】（ａ）〜（ｃ）は同上の可動ばね片のばね特性の解析結果を説明する図である。
【図６】同上の分解斜視図である。
【図７】同上の外観斜視図である。
【図８】同上のカバーシェルを外した状態の要部拡大図である。
【図９】従来のメモリカード用ソケットに用いるコンタクトブロックを示し、（ａ）は正面図、（ｂ）は一部省略せる上面図、（ｃ）は側面図である。
【図１０】同上の側断面図である。
【図１１】（ａ）〜（ｃ）は同上の可動ばね片のばね特性の解析結果を説明する図である。
【符号の説明】
４      コンタクトブロック
７      樹脂製基体
３０    固定接点板
３０ａ  固定接点
３１    可動ばね片
３１ａ  弾接部
７１    突出片
【図１】
2004349223.tif 000003
【図２】
2004349223.tif 000004
【図３】
2004349223.tif 000005
【図４】
2004349223.tif 000006
【図５】
2004349223.tif 000007
【図６】
2004349223.tif 000008
【図７】
2004349223.tif 000009
【図８】
2004349223.tif 000010
【図９】
2004349223.tif 000011
【図１０】
2004349223.tif 000012
【図１１】
2004349223.tif 000013